(57)【特許請求の範囲】
【請求項１】
サンプリングタンクおよびこのサンプリングタンクに対する液吸引・吐出用のシリンジポンプが上流側に設けられているとともに、比重計が直列に設けられているサンプリング流路の下流側に液面検知機能を備えたノズルが設けられ、このノズルを回転アームの先端側に支持させて該回転アームの回転軸を中心にして描く円弧軌跡上に配列の採尿容器、分注容器、洗浄液貯留容器および液廃棄部の各上方部において水平方向に正逆回転駆動可能、かつ、上下方向に駆動移動可能に構成してなる尿サンプリング機構を備え、この尿サンプリング機構における前記回転アームの正逆回転および上下方向移動と前記シリンジポンプの吸引および吐出動作とによって、採尿容器内に収容された尿の量の測定、その採尿容器内の尿の所定量吸引に伴う比重測定およびサンプリングタンクへの一時的収容、そのサンプリングタンクに収容された尿の吐出に伴う前記分注容器への注入、並びに、前記サンプリングタンク以下のサンプリング流路の各部の洗浄という手順の蓄尿検査動作を所定のプログラムに基づいて行うように構成されている自動蓄尿検査装置において、前記分注容器に収容されて蓄えられた尿の一部を検査のために供した以降の前記尿サンプリング機構における回転アームの回転および上下方向移動と前記シリンジポンプの吸引および吐出動作とによって、分注容器内の残余の尿の吸引および廃棄、その尿廃棄後の分注容器への洗浄液の供給および廃棄による該分注容器内の洗浄、並びに、前記採尿容器内に最初にサンプリングされた患者の尿を前記洗浄後の分注容器に注入して該分注容器の内壁に付着している水滴と混じり合わせた後にその全量を排出して分注容器の内部を当該患者の尿により共洗いするという手順の分注容器洗浄動作を所定のプログラムに基づいて行うように構成したことを特徴とする自動蓄尿検査装置。
【発明の詳細な説明】
【０００１】
【発明の属する技術分野】
この発明は、病院などの医療施設に設けられる自動蓄尿検査装置に関する。
【０００２】
【従来の技術】
蓄尿検査は、患者の水分の代謝の観察のためや尿中成分の定量を行ための手法として用いられるが、近時、例えば大きな病院においては、入院患者の蓄尿検査を行うために、複数の病室のそれぞれに簡易便器および測定端末としての自動蓄尿検査装置を設置するとともに、ナースセンターなどの看護婦詰所にデータ管理機を設け、このデータ管理機と各病室に設けられた自動蓄尿検査装置とをＬＡＮを用いるなどしてデータネットワークを構成した蓄尿管理システムが導入されるようになってきている。
【０００３】
上記自動蓄尿検査装置においては、患者自らが自分の排出した尿を採尿容器に採取し、この採尿容器を自動蓄尿検査装置の尿サンプリング部にセットすることにより、採尿容器内の尿が適宜サンプリングされて、尿の量（体積）やその比重が測定され、その測定結果は、自動蓄尿検査装置内のメモリに患者別に記録されるとともに、中央データ管理装置としてのデータ管理機に送られ、このメモリ内に記録されるようになっている。また、前記測定後の採尿容器内の尿は、各患者に割り当てられた専用の分注容器に適宜分注されて成分検査などに供される。なお、分注されない残余の尿は廃棄される。
【０００４】
【発明が解決しようとする課題】
ところで、上記自動蓄尿検査装置においては、患者が採尿する度に分注容器に分注された尿は、２４時間（１昼夜）保管された後、成分検査され、その後、全量が廃棄されるが、このとき、尿廃棄後の分注容器は洗浄液（例えば水道水など）を用いて洗浄され、次の日の分注に供される。つまり、分注容器内の尿は、通常、１日１回廃棄され、尿廃棄後の分注容器は洗浄されて、次の日の分注に供される。この場合、分注容器には前記洗浄液や濯ぎ水の滴が残らないようにする必要がある。もし、この液滴が残存したまま、サンプリングされた尿を分注すると、その尿の濃度が薄められたり、特殊な洗浄液を用いた場合には、その成分が分注された尿内に混入するため、尿の比重測定や成分検査に悪影響が及ぼされる。そこで、従来においては、温風により分注容器内部を乾燥させるなどしているが、この場合、温風乾燥機が必要となり、それだけコストアップとなる。
【０００５】
この発明は、上述の事柄に留意してなされたもので、その目的は、洗浄液で洗浄した分注容器に仮に洗浄液滴が残留していても、その影響を簡便かつ安価な手法で低減することができるようにした自動蓄尿検査装置を提供することである。
【０００６】
【課題を解決するための手段】
上記目的を達成するため、この発明では、サンプリングタンクおよびこのサンプリングタンクに対する液吸引・吐出用のシリンジポンプが上流側に設けられているとともに、比重計が直列に設けられているサンプリング流路の下流側に液面検知機能を備えたノズルが設けられ、このノズルを回転アームの先端側に支持させて該回転アームの回転軸を中心にして描く円弧軌跡上に配列の採尿容器、分注容器、洗浄液貯留容器および液廃棄部の各上方部において水平方向に正逆回転駆動可能、かつ、上下方向に駆動移動可能に構成してなる尿サンプリング機構を備え、この尿サンプリング機構における前記回転アームの正逆回転および上下方向移動と前記シリンジポンプの吸引および吐出動作とによって、採尿容器内に収容された尿の量の測定、その採尿容器内の尿の所定量吸引に伴う比重測定およびサンプリングタンクへの一時的収容、そのサンプリングタンクに収容された尿の吐出に伴う前記分注容器への注入、並びに、前記サンプリングタンク以下のサンプリング流路の各部の洗浄という手順の蓄尿検査動作を所定のプログラムに基づいて行うように構成されている自動蓄尿検査装置において、前記分注容器に収容されて蓄えられた尿の一部を検査のために供した以降の前記尿サンプリング機構における回転アームの回転および上下方向移動と前記シリンジポンプの吸引および吐出動作とによって、分注容器内の残余の尿の吸引および廃棄、その尿廃棄後の分注容器への洗浄液の供給および廃棄による該分注容器内の洗浄、並びに、前記採尿容器内に最初にサンプリングされた患者の尿を前記洗浄後の分注容器に注入して該分注容器の内壁に付着している水滴と混じり合わせた後にその全量を排出して分注容器の内部を当該患者の尿により共洗いするという手順の分注容器洗浄動作を所定のプログラムに基づいて行うように構成したことを特徴としている。
【０００７】
前記構成の自動蓄尿検査装置においては、分注容器の洗浄後、患者の尿を最初にサンプリングする際、患者自身の最初にサンプリングされる尿を用いて分注容器の内部を共洗いするので、仮に、分注容器内部に洗浄に用いた液滴が残留していても、これを前記尿によって洗い流すことができ、残留液滴による検査結果への影響はほとんどなくなる。そして、温風乾燥機などの高価な設備を用いなくてもよい。
【０００８】
【発明の実施の形態】
以下、この発明の詳細を、図を参照しながら説明する。図１〜図７は、この発明の第１の実施の形態を示す。まず、図１は第１の実施の形態における自動蓄尿検査装置の構成の一例を示す図であり、この図において、１は例えば病室内の適宜の場所、例えばユニットバス内や、簡易トイレに隣接した場所などに設けられる自動蓄尿検査装置で、この実施の形態においては、測定を行う装置本体２と採尿容器収納部３とからなる。すなわち、４は適宜の素材よりなるケースで、その内部は仕切り板５，６によって３つの空間４ａ，４ｂ，４ｃに区画されている。そして、上二つの空間４ａ，４ｂには装置本体２を構成する部材（後述する）が設けられ、最下段の空間４ｃには容器収納部３（後述する）が形成されている。
【０００９】
前記装置本体２における構成を説明すると、上方の空間４ａには、前面がパネル７で覆われて防湿構造に形成されている尿測定部８（その構成は後述する）が設けられ、下方の空間４ｂには、前面が外部に開放された尿サンプリング部９（その構成は後述する）が設けられている。
【００１０】
まず、前記尿測定部８および尿サンプリング部９における構成を、図２〜図４をも参照しながら説明すると、尿サンプリング部９の底板を兼ねた仕切り板６には、例えば内部が筒状で把手を備えた樹脂よりなる採尿容器１０をセットするための容器セット部１１が形成され、その近傍には採尿容器１０がセットされたか否かを検出するための容器検出センサ１２が設けられている。１３は採取された尿を患者ごとに区別して収容するための複数の蓄尿容器としての分注容器であり、１４は洗浄液貯留容器であって、洗浄液供給源（図示していない）に接続されている。また、１５は液廃棄部で、その下方は排水管（図示していない）に接続されている。なお、分注容器１３は、採尿容器１０に比べて容量はかなり小さい。
【００１１】
そして、前記容器セット部１１にセットされた状態の採尿容器１０、分注容器１３、洗浄液貯留容器１４および液廃棄部１５は、例えば図２に示すように、回転アーム１８（後述する）に設けられたノズル２８（後述する）が回転アーム１８の回転軸２１を中心にして描く円弧状の軌跡１６上に配列されている。
【００１２】
１７は尿サンプリング機構で、次のように構成されている。すなわち、１８は尿サンプリング部９内の上方に設けられる回転アームで、尿測定部８内に設けられた正逆いずれの方向にも回転するモータ１９によって回転駆動され、仕切り板５に開設された小孔２０を挿通して下方に垂直方向に延びる回転軸２１の下端部に固着されており、両矢印２２で示す方向に回転する。前記回転軸２１は、尿測定部８内に設けられた別のモータ（このモータも正逆いずれの方向にも回転する）２３によって上下動する上下動駆動機構２４によって両矢印２５で示す上下方向に移動できるようにも構成されている。したがって、回転アーム１８は、水平方向において回転しかつ上下方向に直線移動する。
【００１３】
２６は尿をサンプリングする流路で、例えばゴムまたは樹脂よりなる可撓性の管よりなり、その下流側には採尿容器１０内の尿２７の液面２７ａを検知する機能をも備えたノズル２８が設けられている。このノズル２８は、尿サンプリング部９内の容器セット部１１の上方に設けられ、この実施の形態においては、導電率の変化に基づいて液面検知を行うものよりなり、図３および図４に示すように、一方の電極としても機能する金属など導電材よりなるパイプ状ノズル本体２８ａとこれと適宜の間隔をおいて平行な状態に設けられ、他方の電極となる導電性（例えば金属製）の棒体２８ｂとからなる。このノズル２８は、回転アーム１８の先端側（遊端側）において保持ブロック２９によって保持され、回転アーム１８の動きに伴って回転および上下動する。なお、ノズル２８によって得られる液面検知信号は、小孔２０を挿通する信号線（図示していない）を介してマイクロコンピュータ（後述する）に送られる。
【００１４】
前記サンプリング流路２６のノズル２８より上流側の部分は、回転アーム１８に沿うとともに、小孔２０を挿通して上方の尿測定部８に導入されている。この尿測定部８におけるサンプリング流路２６における構成を、図３を参照しながら説明すると、３０は光学式の比重計で、サンプリング流路２６に直列に設けられており、これを通過する尿２７の比重を測定するものである。そして、この比重計３０の上流側のサンプリング流路２６には、サンプリングタンク３１およびシリンジポンプ３２がこの順に設けられている。なお、３３はシリンジポンプ３２の駆動用モータで、正逆いずれの方向にも回転する。また、３４は例えば水道水などの洗浄水をサンプリングタンク３１に導入するラインであり、３５はこのライン３４に介装された常時（電源オフ時）閉じている電磁弁である。
【００１５】
そして、前記尿測定部８の内部（例えばパネル７の背面部）には、装置本体２および容器収容部３の各部を制御するとともに、ノズル２８および比重計３０からの信号に基づいて尿量および尿比重の演算などを行う制御演算装置としてのマイクロコンピュータ（図示していない）が設けられており、このマイクロコンピュータには、パネル７の入力・表示部（後述する）からの入力信号が入力されるとともに、所定の測定や自動蓄尿検査装置１各部に所定の動作を行わせるためのシーケンスプログラムが格納されている。
【００１６】
前記尿測定部８のパネル７の表面には、タッチパネル式の例えば液晶表示装置よりなる入力・表示部３６が設けられており、患者名および／またはコード番号を表示したり、患者に対する操作内容に関する指示やマイクロコンピュータによる演算結果などが表示されるようにしてある。また、前記パネル７には、患者に対する操作指示用の拡声器３７が設けられている。つまり、患者に対して、入力・表示部３６における文字等によるメッセージ表示と拡声器３７における音声メッセージのそれぞれによって操作内容が指令されるようにしてある。
【００１７】
なお、３８は容器セット部１１を照明するための照明灯である。
【００１８】
そして、容器収納部３の構成を簡単に説明すると、この容器収容部３は、例えば、４人の患者Ａ，Ｂ，Ｃ，Ｄのそれぞれ専用の採尿容器１０を収納する機能のほかに、使用後の採尿容器１０をそれぞれ洗浄する機能を備えた４つの容器収納室３９Ａ〜３９Ｄよりなる。各容器収納室３９Ａ〜３９Ｄは、それらの構造は互いに同じであり、その前面に開閉自在な扉４０を備えている。そして、詳細な図示は省略しているが、各扉４０の内面には採尿容器１０を保持・固定する容器載置部が設けられるとともに、各室内には適宜の洗浄液を噴出する洗浄器が設けられ、使用した採尿容器１０を洗浄液で洗浄するように構成されている。なお、各容器収納室３９Ａ〜３９Ｄには、扉４０の開閉状態を検知するセンサ（図示していない）がそれぞれ設けられている。
【００１９】
上記自動蓄尿検査装置１の動作を、図５および図６を参照しながら説明する。この自動蓄尿検査装置１は、例えば４人部屋の病室に１台設けられているものとし、４人の患者Ａ，Ｂ，Ｃ，Ｄのそれぞれ専用の採尿容器１０を、それぞれ専用の容器収納室３９Ａ〜３９Ｄに収容するものとする。この場合、マイクロコンピュータのメモリ部には、４人の患者の名前と容器収納室３９Ａ〜３９Ｄとを１対１で対応するように記憶させてある。また、一人の患者が自動蓄尿検査装置１の利用しているときには、他の患者が利用できないということを前提としている。
【００２０】
（１）患者Ａが採尿容器収納部３の自分の容器収納室３９Ａの扉４０を開いて採尿容器１０を取り出し（ステップＳ１）、扉４０を閉める。この扉４０の開閉により、非測定モードであった自動蓄尿検査装置１が測定モードになり、容器収納室３９Ａの開閉状態検知センサが動作して、その出力がマイクロコンピュータに入力される。
【００２１】
（２）前記マイクロコンピュータにおいては、前記開閉状態検知センサの出力に基づいて患者の名前Ａが検索され、その名前が入力・表示部３６に表示される（ステップＳ２）。この入力・表示部３６における名前の表示とともに、拡声器３７から、例えば、「Ａさんですね。」と確認のメッセージが発せられる。
【００２２】
（３）前記患者Ａは、自分の名前を確認した場合には、ステップＳ３においてＹＥＳの方向に進む。そして、仮に、前記患者Ａが容器収納部３から誤って他人（例えば患者Ｂ）の採尿容器１０を取り出したときは、前記ステップＳ２において、「Ｂさんですね。」といった確認のメッセージが画面表示および音声によって出力されるので、患者Ａはこの確認動作により、誤って採尿容器１０を取り出したことに気がつく。この場合、ステップＳ３においてＮＯの方向に進み、取り出した採尿容器１０を患者Ｂの容器収納室３９Ｂに戻して（ステップＳ３Ｎ）、再度ステップＳ１の操作を行う。この場合、最も近い時点で開閉された扉４０を画面および／または音声によって指示するようにしておけば、患者が誤って採尿容器１０を取り出しても、その取り出した採尿容器１０を容器収納室３９Ａ〜４０Ｄに正しく戻すことができる。
【００２３】
（４）そして、前記確認動作に次いで、採尿指令が画面表示および音声によって出力される（ステップＳ４）。
【００２４】
（５）前記指令を受けた患者Ａは、例えば室内の簡易トイレにおいて用を足し、自分の尿を採尿容器１０に採取する（ステップＳ５）。
【００２５】
（６）尿を採取した患者Ａは、採尿容器１０を持って自動蓄尿検査装置１の前面に来て、採尿容器１０を尿サンプリング部９の容器セット部１１にセットする。このとき、尿サンプリング部９の容器セット部１１近傍に設けられた照明灯３８が点灯し、容器セット部１１を照明するようにしておけば、患者Ａは、前記容器セット部１１を簡単に見つけることができる。
【００２６】
（７）前記容器セット部１１には、容器検出センサ１２が設けられており、容器セット部１１に対して採尿容器１０を正しくセットされている場合は、容器検出センサ１２が動作し、その出力がマイクロコンピュータに入力され、採尿容器１０が正しくセットされたことが通知される。そして、ステップＳ７においてＹＥＳの方向に進む。そして、前記採尿容器１０のセットが正しく行われないときは、例えば、「セットをやり直して下さい。」などのメッセージが画面表示されるとともに音声によって出力され、患者ＡはステップＳ６に戻る。
【００２７】
（８）前記採尿容器１０が正しくセットされたことがマイクロコンピュータに検知されると、所定のシーケンスに基づいて採尿容器１０内の尿２７のサンプリング、測定および分注が行われる（ステップＳ８）。すなわち、採尿容器１０のセットが完了すると、所定のプログラムに基づいてモータ１９，２３，３３が動作し、尿尿サンプリング機構１７によって、採尿容器１０内の尿２７がサンプリングされ、測定および分注が行われる。以下、尿サンプリング機構１７の動作の流れの一例を図６を参照しながら説明する。
【００２８】
今、ノズル２８は、常時（サンプリングなどを行わないとき）、所定のホームポジションに位置しているものとする。このホームポジションは、患者による採尿容器１０の容器セット部１１へのセットやこのセット部１１からの採尿容器１０の取り出しの邪魔にならないような位置であることはいうまでもない。
【００２９】
（９）モータ１９を動作させて回転アーム１８を回転させ、ホームポジションにあるノズル２８を円弧１６を描くように回転させ、容器セット部１１に載置されている採尿容器１０の上方に位置させる（ステップＳ８０１）。
【００３０】
（１０）次いで、モータ２３を動作させて回転アーム１８を下降させ、ノズル２８を下降させる（ステップＳ８０２）。このノズル２８の下降により、ノズル２８の先端（下端）が採尿容器１０内の尿２７内に進入するが、その進入時にノズル２７におけるノズル本体２８ａと棒体２８ｂとの間の抵抗値の変化に基づいて液面２７ａの高さ位置が検出され、これに基づいて尿２７の量（体積）が測定される。
【００３１】
（１１）次いで、モータ３３を動作させてシリンジポンプ３２に吸引動作を行わせ、ノズル２８に採尿容器１０内の尿２７を所定量吸引させる（ステップＳ８０３）。この尿２７の吸引量は、前記測定された尿２７の例えば１／１０とする。この吸引された尿２７は、サンプリング流路２６を上流側方向に進み、比重計３０を通過する際、その比重が測定される。
【００３２】
（１２）前記比重計３０を経た尿２７は、サンプリング流路２６をさらに上流側に進み、サンプリングタンク３１内に一時的に収容される（ステップＳ８０４）。
【００３３】
（１３）モータ２３を回転させて、回転アーム１８を上昇させ、ノズル２８の下端部が採尿容器１０の上端より高くなるように、ノズル２８を上昇させる（ステップＳ８０５）。
【００３４】
（１４）シリンジポンプ３２を吸引動作させ、ノズル２８に空気を１ｍＬ程度吸引させる（ステップＳ８０６）。これにより、ノズル２８の下端部からの尿２７の滴下が防止される。
【００３５】
（１５）モータ１９を動作させて回転アーム１８を回転させることにより、ノズル２８を回転させて、Ａ氏の尿２７を保管すべき分注容器１３の上方位置までノズル２８を移動させる（ステップＳ８０７）。
【００３６】
（１６）モータ２３を動作させて回転アーム１８を下降させることにより、ノズル２８を前記分注容器１３に対して所定の高さ位置まで下げる（ステップＳ８０８）。
【００３７】
（１７）シリンジポンプ３２を加圧動作させ、サンプリングタンク３１内の尿２７の全量をノズル２８から吐出して前記分注容器１３内に注入する（ステップＳ８０９）。これにより、Ａ氏の尿がＡ氏専用の分注容器１３内に収容される。
【００３８】
（１８）モータ１９，２３を動作させて、回転アーム１８を上昇させるとともに回転させることにより、ノズル２８をホームポジションに戻す（ステップＳ８１０）。
【００３９】
上述のようにして、採尿容器１０に採取されたＡ氏の尿２７の一部がノズル２８によってサンプリングされ、その比重が測定された後、Ａ氏専用の分注容器１３に注入される。そして、前記採尿容器１０内の尿２７の総量や比重の測定結果は、入力・表示部３６に表示されるとともに、マイクロコンピュータのメモリ内に格納されたり、ＬＡＮなどのネットワークを介して、看護婦詰所などに設けられるデータ管理機（図示していない）に送信され、そのメモリ内に格納される。
【００４０】
なお、患者の尿２７を成分検査しないときなどにおいては、サンプリングした尿２７は分注容器１３に分注する必要がなく、この場合、サンプリングタンク３１内の尿２７は、採尿容器１０にに戻されるかあるいは液排出部１５に排出される。
【００４１】
そして、前記一連のサンプリング、測定および分注の動作において、前記（８０９）におけるサンプリングタンク３１内の尿２７の分注容器１３への注入完了後、シリンジポンプ３２を動作させて、洗浄液貯留容器１４内の洗浄液４１の所定量をノズル２８によって吸引してサンプリングタンク３１以下のサンプリング流路２６の各部を洗浄するようにしてもよい。この洗浄に用いた廃液は、シリンジポンプ３２の動作によりノズル２８から液排出部１５に排出すればよい。
【００４２】
また、前記サンプリングタンク３１以下のサンプリング流路２６の各部を洗浄するに当たり、サンプリングタンク３１に接続されている洗浄水導入ライン３４の電磁弁３５を開いて洗浄水をサンプリングタンク３１に導入し、この洗浄水をサンプリング流路２６をノズル２８方向に移動させて、サンプリング流路２６、比重計３０、ノズル２８を通過させて、ノズル２８から液排出部１５に吐出させるようにしてもよい。
【００４３】
（１９）上述のようにして、採尿容器１０内の尿２７のサンプリング、測定および分注が完了すると、例えば、「Ａさん、採尿容器を容器収納室に戻して下さい。」というようなメッセージが操作・表示部３６に表示されるとともに拡声器３７から発せられ、患者Ａは、容器セット部１１を取り出し、これを自分の容器収納室３９Ａに戻す（図５のステップＳ９）。
【００４４】
（２０）そして、採尿容器１０が容器収納室３９Ａに正しく戻されたか否かが判別され（ステップＳ１０）、正しく戻されている場合には、ステップＳ１０においてＹＥＳの方向に進む。そして、前記メッセージによるガイドにもかかわらず、患者Ａが他の容器収納室の扉４０を開けた場合、ステップＳ１０においてＮＯの方向に進み、採尿容器１０の戻し入れ操作のやり直しが指令される。この場合、拡声器３７から、例えば「Ａさん、戻す位置が違っています。」といったメッセージが発せられる。
【００４５】
（２１）採尿容器１０が容器収納室３９Ａに正しく戻された場合、容器収納室３９Ａ内の洗浄器が動作し、採尿容器１０が洗浄され（ステップＳ１１）、患者Ａによる自動蓄尿検査装置１の利用が完了し、自動蓄尿検査装置１は元の測定待機モードに復する。
【００４６】
上述のようにして、複数の患者Ａ〜Ｄが前記自動蓄尿検査装置１を使用し、各患者Ａ〜Ｄの分注容器１３には、採尿ごとにサンプリングされた尿２７が蓄えられる。これらの尿は、別の容器に患者別に採取されて検査に供されるが、各患者Ａ〜Ｄの残余の尿２７は廃棄され、各分注容器１３は洗浄される。次に、この分注容器１３の洗浄について、主として図７を参照しながら説明する。説明を簡単にするため、Ａ氏の１日分の尿２７を収容した分注容器１３の洗浄について説明する。
【００４７】
（３１）ノズル２８を分注容器１３の真上位置に移動させた後、下降させ、その状態でシリンジポンプ３２を吸引動作させてノズル２８によって分注容器１３内の尿２７を吸引し、その状態で、ノズル２８を液廃棄部１５の真上位置に移動させた後必要により下降させ、その状態でシリンジポンプ３２を加圧動作させて、吸引した尿２７を液廃棄部１５に向けて吐出する。この場合、ノズル２８による尿２７の吸引量が小さいので、前記吸引・搬送・吐出を数回繰り返し行うことによって、分注容器１３内の尿２７を全量廃棄する（図７（Ａ）参照）。
【００４８】
（３２）前記尿２７を全て排出した後、分注容器１３内を洗浄するため、洗浄液貯留容器１４内の洗浄液４１（例えば水道水）をノズル２８によって吸引し、この吸引した洗浄液４１を分注容器１３内に供給する。この場合、ノズル２８による洗浄液４１の吸引量が小さいので、前記吸引・搬送・吐出を数回繰り返し行うことによって、分注容器１３内を洗浄する（図７（Ｂ）参照）。
【００４９】
（３３）洗浄後、ノズル２８によって洗浄に用いた洗浄液４１を吸引して、これを液廃棄部１５に吐出して、すすぎを行う（図７（Ｃ）参照）。
【００５０】
前記洗浄・すすぎは繰り返し行うことが好ましい。
【００５１】
（３４）前記洗浄・すすぎが完了しても、分注容器１３の内壁には、水滴４２が残存付着している（図７（Ｄ）参照）。
【００５２】
上記のようにして、Ａ氏の分注容器１３の洗浄が終了し、Ａ氏の尿２７のサンプリング・測定・分注を待機することとなる。
【００５３】
（３５）そして、前記分注容器１３の洗浄後、Ａ氏が最初の尿を自分の採尿容器１０に採取する。この最初に採取されたＡ氏の採尿容器１０内の尿を、自動蓄尿検査装置１によってサンプリングする際、その余分な尿２７を、ノズル２８を用いて前記洗浄・すすぎ処理済みの分注容器１３に満たす（図７（Ｅ）参照）。
【００５４】
（３６）前記分注容器１３への尿２７の注入によって、分注容器１３の内壁に付着していた水滴４２は、前記注入された尿２７と混じり合う（図７（Ｆ）参照）。そして、その後、前記分注容器１３内の尿２７の全量をノズル２８を用いて排出する（図７（Ｆ）参照）。
【００５５】
（３７）前記尿２７を排出した後、分注容器１３の内壁には液滴４２Ａが付着している（図７（Ｇ）参照）が、この液滴４２Ａは、Ａ氏の尿２７に起因するものであるため、この後のＡ氏の尿２７のサンプリングによって前記分注容器１３にＡ氏の尿２７が注入されても、分注された尿２７が薄められたり、他の異物が混ざるといったことがなく、なんら問題は生じないのである。
【００５６】
他の患者Ｂ〜Ｄの分注容器１３についても、同様に上記手順によって行われる。
【００５７】
上述のように、この発明の自動蓄尿検査装置１においては、分注容器１３の洗浄後、患者の尿を最初にサンプリングを行う際に、当該患者の分注容器１３の内部を当該患者の尿により共洗いするようにしているので、残留する洗浄液の液滴による影響を大幅に低減することができ、しかも、温風乾燥機などの高価な設備を要することがないので、洗浄液で洗浄した分注容器１３に残留する液滴の影響を簡便かつ合理的に排除することができる。
【００５８】
なお、上述の実施の形態においては、分注容器１３に蓄えられている尿２７を、自動蓄尿検査装置１において排出し、洗浄を行って次の新しい尿２７のサンプリングに待機するようにしているが、例えば分注容器１３に蓄えられている尿２７を別の場所で廃棄し、洗浄してから、前記自動蓄尿検査装置１にセットするようにして、次の新しい尿２７のサンプリングに待機するようにしてもよい。この場合は、前記図７（Ｅ）から始めればよい。
【００５９】
また、尿２７の測定を行う装置本体２と採尿容器収納部３とを別体構成として、自動蓄尿検査装置１を装置本体２のみで構成してあってもよい。
【００６０】
さらに、自動蓄尿検査装置１としては、病室に設けられるものに限られるものではなく、集合トイレに設けた自動蓄尿検査装置においても同様に実施することができる。
【００６１】
【発明の効果】
以上説明したように、この発明では、採尿容器に収容された尿をサンプリングして分注容器に注入する尿サンプリング機構を備えた自動蓄尿検査装置において、前記分注容器の洗浄後、患者の尿を最初にサンプリングする際に、当該患者の分注容器の内部を、前記尿サンプリング機構の動作を介して最初にサンプリングされた患者の尿によって共洗いするようにしているので、仮に、分注容器内部に洗浄に用いた液滴が残留していても、これを前記尿によって洗い流すことができ、洗浄液の残留液滴の影響はほとんどなくなり、精度の高い測定を行うことができる。そして、温風乾燥機などの高価な設備を用いなくてもよいので、安価かつ合理的に分注容器を洗浄することができる。
【図面の簡単な説明】
【図１】  この発明の自動蓄尿検査装置の一例を部分的に透視して示す斜視図である。
【図２】  前記自動蓄尿検査装置におけるノズル、採尿容器、分注容器、洗浄液貯留容器、液排出部の平面的配置の一例を概略的に示す図である。
【図３】  サンプリング機構の構成を概略的に示す図である。
【図４】  ノズルの構成例を概略的に示す図である。
【図５】  前記自動蓄尿検査装置を用いた尿検査手順の一例を示すフローチャートである。
【図６】  前記尿サンプリング機構の動作の流れの一例を示すフローチャートである。
【図７】  分注容器の洗浄手順の一例を示すフローチャートである。
【符号の説明】
１…自動蓄尿検査装置、１０…採尿容器、１３…分注容器、１４…洗浄液貯留容器、１５…液廃棄部、１６…円弧状軌跡、１７…尿サンプリング機構、１８…回転アーム、２１…回転軸、２７…尿、２８…ノズル、３０…比重計、３１…サンプリングタンク、３２…シリンジポンプ。
【図１】
0003881531.tif 000002
【図２】
0003881531.tif 000003
【図３】
0003881531.tif 000004
【図４】
0003881531.tif 000005
【図５】
0003881531.tif 000006
【図６】
0003881531.tif 000007
【図７】
0003881531.tif 000008